(57)【要約】【課題】情報表示機能を保ちつつ、厚さや高さを抑えた表示パネルを提供する。また、落として壊したりしにくい表示パネルを提供する。【解決手段】棚板に設置して情報を表示するための表示パネルであって、棚板の正面に設置され情報を表示する表示部と、棚板の下側に棚板に沿って設置される、表示部を駆動する駆動部と、表示部の外周から伸びるとともに棚板正面の下辺または上辺から下側に向かって折り曲げられて表示部と駆動部とを接続する配線部とを含む。【選択図】図１
2016047113.tif 000002
【特許請求の範囲】
【請求項１】
棚板に設置して情報を表示するための表示パネルであって、
前記棚板の正面に設置され情報を表示する表示部と、
前記棚板の下側に前記棚板に沿って設置される、前記表示部を駆動する駆動部と、
前記表示部に外周から伸びるとともに前記棚板正面の下辺または上辺から前記下側に向かって折り曲げられて前記表示部と前記駆動部とを接続する配線部とを含む、表示パネル。
【請求項２】
前記配線部が、前記表示部の下辺付近で９０°以上１２０°以下の角度で折り曲げられた、請求項１に記載の表示パネル。
【請求項３】
前記配線部が、前記表示部下辺または上辺から伸びたソース配線と、前記表示部左辺または右辺から伸びて下向きまたは上向きにカーブさせたゲート配線とを含む、請求項１または２に記載の表示パネル。
【請求項４】
前記表示部が、リジッドな基体の正面部に固定され、前記配線部および前記駆動部が、前記リジッドな基体の平面部の上面または下面に固定され、前記リジッドな基体の前記正面部と前記平面部とは所定の曲率半径を有する屈曲部で接合されており、前記配線部は前記屈曲部に沿って折り曲げられていることを、請求項１〜３のいずれか１項に記載の表示パネル。
【請求項５】
前記表示部が、前記棚板の正面から５°以上３０°以下の角度で上に傾いている、請求項１〜４のいずれか１項に記載の表示パネル。
【請求項６】
前記表示部の表示面が、上下方向に関してカーブした曲面になっている、請求項１〜５のいずれか１項に記載の表示パネル。
【請求項７】
前記表示部が、ポリマー分散液晶ディスプレイまたは電気泳動ディスプレイである、請求項１〜６のいずれか１項に記載の表示パネル。
【請求項８】
前記表示部上辺の裏側に引掛け部を有し、前記引掛け部を前記棚板正面の上辺に引掛ける、請求項１〜７のいずれか１項に記載の表示パネル。
【請求項９】
前記配線部または駆動部の近傍に磁石を有し、前記磁石によって前記配線部および前記駆動部が前記棚板に固定される、請求項１〜８のいずれか１項に記載の表示パネル。
【請求項１０】
請求項１〜９のいずれか１項に記載の前記表示パネルを複数個用い、隣接する２つの前記表示パネル同士を、一方の前記表示パネルの前記配線部の上に、他方の前記表示パネルの前記表示部左辺または右辺が重なるように並べて構成される、大型表示パネル。
【請求項１１】
複数の前記表示パネルの各表示部が構成する、前記大型表示パネルとしての表示部の幅が、前記棚板の幅と等しい、請求項１０に記載の大型表示パネル。
【請求項１２】
前記基体の幅が異なる２種類の前記表示パネルを組合せた、請求項１０または１１記載の大型表示パネル。
【請求項１３】
複数の前記表示パネルを接続する接続部品を有し、前記接続部品が磁石を有し、前記磁石によって前記配線部および前記駆動部が前記棚板に固定される、請求項１０〜１２のいずれか１項に記載の大型表示パネル。
【請求項１４】
前記基体が、前記基体同士を接合する構造を有することで複数の前記表示パネルが一体化される、請求項１０〜１３のいずれか１項に記載の大型表示パネル。
【請求項１５】
前記基体が、前記棚板に設けられた受け部に差し込まれることで複数の前記表示パネルが一体化される、請求項１０〜１３のいずれか１項に記載の大型表示パネル。
【発明の詳細な説明】
【技術分野】
【０００１】
本発明は、電子棚札等に用いる表示パネルに関する。また、複数の表示パネルを連結して大型表示を可能にした大型表示パネルに関する。
【背景技術】
【０００２】
従来より、液晶ディスプレイ（ＬＣＤ）や電子ペーパーを用いた表示パネルが提供され、電子棚札として使用されている。図１４は従来の電子棚札用の表示パネルの一例を示す図である（特許文献１参照）。図示のように、従来の電子棚札２０は、駆動部を内蔵しているので厚さが厚く、高さが高くなり、商品よりも棚札が目立ちすぎてしまい、肝心の商品が目立たないという問題点があった。
【０００３】
また、図１５の（ａ）のようにクリップ部２０Ｃで固定するタイプの電子棚札２０の場合、簡単に外れ易く、商品２１を取る際などに電子棚札２０を落として破損することがあった。
【０００４】
あるいは、棚を細かく仕切って多種の商品２１を並べる場合、図１５の（ｂ）のように品種の数と同じ数の電子棚札２０を設置することになり、ますます棚札２０が目立ち、商品２１が目立たないことになった。
【先行技術文献】
【特許文献】
【０００５】
【特許文献１】特開２００１−１７８５９９号公報
【発明の概要】
【発明が解決しようとする課題】
【０００６】
本発明の目的は、情報表示機能を保ちつつ、厚さや高さを抑えた表示パネルを提供することにある。また、落として壊したりしにくい表示パネルを提供することにある。
【課題を解決するための手段】
【０００７】
上述の課題を解決するための本発明の一局面は、棚板に設置して情報を表示するための表示パネルであって、棚板の正面に設置され情報を表示する表示部と、棚板の下側に棚板に沿って設置される、表示部を駆動する駆動部と、表示部の外周から伸びるとともに棚板正面の下辺または上辺から下側に向かって折り曲げられて表示部と駆動部とを接続する配線部とを含む、表示パネルである。
【０００８】
また、配線部が、表示部の下辺付近で９０°以上１２０°以下の角度で折り曲げられてもよい。
【０００９】
また、表示部下辺または上辺から伸びたソース配線と、表示部左辺または右辺から伸びて下向きまたは上向きにカーブさせたゲート配線とを含んでもよい。
【００１０】
また、表示部が、リジッドな基体の正面部に固定され、配線部および駆動部が、リジッドな基体の平面部の上面または下面に固定され、リジッドな基体の正面部と平面部とは所定の曲率半径を有する屈曲部で接合されており、配線部は屈曲部に沿って折り曲げられていてもよい。
【００１１】
また、表示部が、棚板の正面から５°以上３０°以下の角度で上に傾いていてもよい。
【００１２】
また、表示部の表示面が、上下方向に関してカーブした曲面になっていてもよい。
【００１３】
また、表示部が、ポリマー分散液晶ディスプレイまたは電気泳動ディスプレイであってもよい。
【００１４】
また、表示部上辺の裏側に引掛け部を有し、引掛け部を棚板正面の上辺に引掛けてもよい。
【００１５】
また、配線部または駆動部の近傍に磁石を有し、磁石によって配線部および駆動部が棚板に固定されてもよい。
【００１６】
また、本発明の他の局面は、上述の表示パネルを複数個用い、隣接する２つの表示パネル同士を、一方の表示パネルの配線部の上に、他方の表示パネルの表示部左辺または右辺が重なるように並べて構成される、大型表示パネルである。
【００１７】
また、複数の表示パネルの各表示部が構成する、大型表示パネルとしての表示部の幅が、棚板の幅と等しくてもよい。
【００１８】
また、基体の幅が異なる２種類の表示パネルを組合せてもよい。
【００１９】
また、複数の表示パネルを接続する接続部品を有し、接続部品が磁石を有し、磁石によって配線部および駆動部が棚板に固定されてもよい。
【００２０】
また、基体が、基体同士を接合する構造を有することで複数の表示パネルが一体化されてもよい。
【００２１】
また、基体が、棚板に設けられた受け部に差し込まれることで複数の表示パネルが一体化されてもよい。
【発明の効果】
【００２２】
本発明によれば、情報表示機能を保ちつつ、厚さや高さを抑えた表示パネルを提供することができる。また、落として壊したりしにくい表示パネルを提供することができる。
【図面の簡単な説明】
【００２３】
【図１】本発明の一実施形態に係る表示パネルを示す横断面図（ａ）、正面図（ｂ）、および斜視図（ｃ）
【図２】本発明の一実施形態に係る表示パネルを示す横断面図（ａ）、正面図（ｂ）、および斜視図（ｃ）
【図３】本発明の一実施形態に係る表示パネルを示す横断面図（ａ）、正面図（ｂ）、および斜視図（ｃ）
【図４】本発明の一実施形態に係る表示パネルを示す横断面図（ａ）、正面図（ｂ）、および斜視図（ｃ）
【図５】本発明の一実施形態に係る表示パネルを示す横断面図（ａ）、正面図（ｂ）、および斜視図（ｃ）
【図６】本発明の一実施形態に係る表示パネルを示す横断面図（ａ）、正面図（ｂ）、および斜視図（ｃ）
【図７】本発明の一実施形態に係る表示パネルを示す横断面図（ａ）、正面図（ｂ）、および斜視図（ｃ）
【図８】本発明の一実施形態に係る大型表示パネルを構成するための表示パネルを示す斜視図（ａ）および上面図（ｂ）
【図９】本発明の一実施形態に係る大型表示パネルを構成するための表示パネルを示す斜視図（ａ）および上面図（ｂ）
【図１０】本発明の一実施形態に係る大型表示パネルの構成手順を示す斜視図（ａ）〜（ｃ）
【図１１】本発明の一実施形態に係る大型表示パネルの例を示す斜視図（ａ）および（ｂ）
【図１２】本発明の一実施形態に係る大型表示パネルの例を示す斜視図
【図１３】本発明の一実施形態に係る大型表示パネルの例を示す斜視図
【図１４】従来の表示パネルの一例を示す斜視図
【図１５】従来の表示パネルの一例を示す斜視図（ａ）および（ｂ）
【発明を実施するための形態】
【００２４】
本発明の一実施形態は、棚板に設置して情報を表示するための表示パネルであって、棚板の正面に設置され情報を表示する矩形の表示部と、棚板の下側に棚板に沿って設置される、表示部を駆動する駆動部と、表示部の外周から伸びるとともに棚板正面の下辺または上辺から下側に向かって折り曲げられて表示部と駆動部とを接続する配線部とを含む、表示パネルである。
【００２５】
図１は本実施形態に係る表示パネルの構成を示す図であり、図１の（ａ）は横断面図、図１の（ｂ）は正面図、図１の（ｃ）は斜視図である。表示パネルは、表示部１、配線部２および駆動部３を含む。表示パネルは、図１の（ａ）に示すように、棚板５に取り付けられる。表示部１は棚板５の正面側に取り付けられ、表示部１から伸びた配線部２が表示部１の下辺近傍で約９０°折り曲げられ、棚板５の下面側に、棚板５に沿って設置される。ここで約９０°とは、表示部１の上辺と下辺とを含む平面と、配線部２とのなす角である。なお、厳密に９０°でなくてもよく９０°より大きくても小さくてもよく、例えば８５°から９５°の範囲であってもよい。また、配線部２は、表示部１の下辺から伸びたソース配線と、表示部の右辺から伸びて下向きにカーブさせたゲート配線とを含む。配線部２は、単純な配線（２Ｂ）だけでなく、駆動ＩＣ（２Ｃ）やフレキシブルプリント基板（２Ｆ）を含んでもよい。駆動部３は、駆動表示を行うための制御回路を少なくとも有しており、内蔵メモリーや、外部データベースとのインターフェイスをさらに有していてもよい。
【００２６】
表示部１、配線部２および駆動部３を上述のように配置するために、リジッドな基体４を用いる。基体４は表示部１、配線部２および駆動部３の位置を保持するための部材であり、表示部１を固定する正面部４Ａと、配線部２および駆動部３を固定する平面部４Ｂと、所定の曲率半径を有し正面部と平面部とを接合する屈曲部４Ｃとを含む。配線部２および駆動部３の固定箇所は、平面部４Ｂの下面でも良いし、上面でも良い。基体４の材質には、金属またはプラスチック、あるいはそれらの組み合わせを用いることができる。基体４に対して、表示部１、配線部２および駆動部３が、図示しない接着剤、片面粘着テープ、両面粘着テープ、ネジ等によって固定される。基体４の屈曲部４Ｃは、一定の曲率半径以上に保たれており、表示部１および配線部２を基体４に沿うように貼り付けても、一定の曲率半径以上が保たれ、折り曲げによる配線抵抗の上昇を抑えられる。
【００２７】
基体４は、表示部１の上辺の裏面に引掛け部６を有し、ここを棚板５の正面の上辺に引掛けることによって、表示パネルが下方や前方にずれることを防止できる。また基体４は、配線部２または駆動部３の近傍に磁石７を有し、棚板５が磁性金属である場合は、この磁石７が棚板５にくっつくことで、配線部２や駆動部３がぶら下がることを防止できる。
【００２８】
図２は本発明の他の実施形態に係る表示パネルの構成を示す図であり、図２の（ａ）は横断面図、図２の（ｂ）は正面図、図２の（ｃ）は斜視図である。表示パネルは、表示部１、配線部２および駆動部３を含む。表示パネルは、図２の（ａ）に示すように、棚板５に取り付けられる。表示部１は棚板５の正面側に取り付けられ、表示部１から伸びた配線部２が表示部１の下辺近傍で約９０°折り曲げられ、棚板５の下面側に、棚板５に沿って設置される。ここで約９０°とは、表示部１の上辺と下辺とを含む平面と、配線部２とのなす角である。なお、厳密に９０°でなくてもよく９０°より大きくても小さくてもよく、例えば８５°から９５°の範囲であってもよい。また、配線部２は、表示部１の下辺から伸びたソース配線と、表示部の右辺から伸びて下向きにカーブさせたゲート配線とを含む。図２の（ａ）で表示部１は、上下方向にカーブしている曲面形状となっている。この曲面形状は、曲率半径が大きいわずかな曲面であっても、見た目がやさしい感じになり、商品の好感度が上がって、消費者の購買意欲を向上させる効果がある。また、曲面形状にすることによって、天井からの照明が表示部１の上部に当たりやすくなり、表示部１の表示が明るくなるという利点がある。配線部２は、単純な配線（２Ｂ）だけでなく、駆動ＩＣ（２Ｃ）やフレキシブルプリント基板（２Ｆ）を含んでもよい。駆動部３は、駆動表示を行うための制御回路を少なくとも有しており、内蔵メモリーや、外部データベースとのインターフェイスをさらに有していてもよい。
【００２９】
表示部１、配線部２および駆動部３を上述のように配置するために、リジッドな（剛性の高い）基体４を用いる。基体４は表示部１、配線部２および駆動部３の位置を保持するための部材であり、表示部１を固定する正面部４Ａと、配線部２および駆動部３を固定する平面部４Ｂと、所定の曲率半径を有し正面部と平面部とを接合する屈曲部４Ｃとを含む。配線部２および駆動部３の固定箇所は、平面部４Ｂの下面でも良いし上面でも良い。基体４の材質には、金属またはプラスチック、あるいはそれらの組み合わせを用いることができる。基体４に対して、表示部１、配線部２および駆動部３が、図示しない接着剤、片面粘着テープ、両面粘着テープ、ネジ等によって固定される。基体４の屈曲部４Ｃは、一定の曲率半径以上に保たれており、フレキシブルな配線部２を基体４に沿うように貼り付けても、一定の曲率半径以上が保たれ、折り曲げによる配線抵抗の上昇を抑えられる。図２の（ａ）では基体４の正面部分が上下方向にカーブした形状となっており、フレキシブルな表示部１を基体４に沿わせることで、表示部１をカーブさせる。
【００３０】
基体４は、表示部１の上辺の裏面に引掛け部６を有し、ここを棚板５の正面の上辺に引掛けることによって、表示パネルが下方や前方にずれることを防止できる。また基体４は、配線部２または駆動部３の近傍に磁石７を有し、棚板５が磁性金属である場合は、この磁石７が棚板５にくっつくことで、配線部２や駆動部３がぶら下がることを防止できる。
【００３１】
図３は本発明の他の実施形態に係る表示パネルの構成を示す図であり、図３の（ａ）は横断面図、図３の（ｂ）は正面図、図３の（ｃ）は斜視図である。表示パネルは、表示部１、配線部２および駆動部３を含む。表示パネルは、図３の（ａ）に示すように、棚板５に取り付けられる。表示部１は棚板５の正面側に取り付けられ、５°以上３０°以下の範囲で上向きに傾いている。これにより、棚板５よりも上から見た場合の視認性が良くなる。ここで５°以上３０°以下の範囲とは、表示部１の上辺と下辺とを含む平面と、棚板５正面とのなす角の範囲である。また、表示部１から伸びた配線部２が表示部１の下辺近傍で９５°以上１２０°以下の範囲で折り曲げられ、棚板５の下面側に、棚板５に沿って設置される。ここで９５°以上１２０°以下の範囲とは、表示部１の上辺と下辺とを含む平面と、配線部２とのなす角の範囲である。また、配線部２は、表示部１の下辺から伸びたソース配線と、表示部の右辺から伸びて下向きにカーブさせたゲート配線とを含む。配線部２は、単純な配線（２Ｂ）だけでなく、駆動ＩＣ（２Ｃ）やフレキシブルプリント基板（２Ｆ）を含んでもよい。駆動部３は、駆動表示を行うための制御回路を少なくとも有しており、内蔵メモリーや、外部データベースとのインターフェイスをさらに有していてもよい。
【００３２】
表示部１、配線部２および駆動部３を上述のように配置するために、リジッドな基体４を用いる。基体４は表示部１、配線部２および駆動部３の位置を保持するための部材であり、表示部１を固定する正面部４Ａと、配線部２および駆動部３を固定する平面部４Ｂと、所定の曲率半径を有し正面部と平面部とを接合する屈曲部４Ｃとを含む。配線部２および駆動部３の固定箇所は、平面部４Ｂの下面でも良いし上面でも良い。基体４の材質には、金属またはプラスチック、あるいはそれらの組み合わせを用いることができる。基体４に対して、表示部１、配線部２および駆動部３が、図示しない接着剤、片面粘着テープ、両面粘着テープ、ネジ等によって固定される。基体４の屈曲部４Ｃは、一定の曲率半径以上に保たれており、表示部１および配線部２を基体４に沿うように貼り付けても、一定の曲率半径以上が保たれ、折り曲げによる配線抵抗の上昇を抑えられる。
【００３３】
基体４は、表示部１の上辺の裏面に引掛け部６を有し、ここを棚板５の正面の上辺に引掛けることによって、表示パネルが下方や前方にずれることを防止できる。また基体４は、平面部４Ｂ上であって配線部２または駆動部３の近傍に磁石７を有し、棚板５が磁性金属である場合は、この磁石７が棚板５にくっつくことで、配線部２や駆動部３がぶら下がることを防止できる。
【００３４】
図４は本発明の他の実施形態に係る表示パネルの構成を示す図であり、図４の（ａ）は横断面図、図４の（ｂ）は正面図、図４の（ｃ）は斜視図である。表示パネルは、表示部１、配線部２および駆動部３を含む。表示パネルは、図４の（ａ）に示すように、棚板５に取り付けられる。表示部１は棚板５の正面側に取り付けられ、５°以上３０°以下の範囲で上向きに傾いている。これにより、棚板５よりも上から見た場合の視認性が良くなる。ここで５°以上３０°以下の範囲とは、表示部１の上辺と下辺とを含む平面と、棚板５正面とのなす角の範囲である。また、表示部１から伸びた配線部２が表示部１の下辺近傍で９５°以上１２０°以下の範囲で折り曲げられ、棚板５の下面側に、棚板５に沿って設置される。ここで９５°以上１２０°以下の範囲とは、表示エリアの上辺と下辺とを含む平面と、配線部２とのなす角の範囲である。また、配線部２は、表示部１の下辺から伸びたソース配線と、表示部の右辺から伸びて下向きにカーブさせたゲート配線とを含む。図４の（ａ）で表示部１は、上下方向にカーブしている曲面形状となっている。この曲面形状は、曲率半径が大きいわずかな曲面であっても、見た目がやさしい感じになり、商品の好感度が上がって、消費者の購買意欲を向上させる効果がある。また、曲面形状にすることによって、天井からの照明が表示部１の上部に当たりやすくなり、表示部１の表示が明るくなるという利点がある。配線部２は、単純な配線（２Ｂ）だけでなく、駆動ＩＣ（２Ｃ）やフレキシブルプリント基板（２Ｆ）を含んでもよい。駆動部３は、駆動表示を行うための制御回路を少なくとも有しており、内蔵メモリーや、外部データベースとのインターフェイスをさらに有していてもよい。
【００３５】
表示部１、配線部２および駆動部３を上述のように配置するために、リジッドな基体４を用いる。基体４は表示部１、配線部２および駆動部３の位置を保持するための部材であり、表示部１を固定する正面部４Ａと、配線部２および駆動部３を固定する平面部４Ｂと、所定の曲率半径を有し正面部と平面部とを接合する屈曲部４Ｃとを含む。配線部２および駆動部３の固定箇所は、平面部４Ｂの下面でも良いし上面でも良い。基体４の材質には、金属またはプラスチック、あるいはそれらの組み合わせを用いることができる。基体４に対して、表示部１、配線部２および駆動部３が、図示しない接着剤、片面粘着テープ、両面粘着テープ、ネジ等によって固定される。基体４の屈曲部４Ｃは、一定の曲率半径以上に保たれており、フレキシブルな配線部２を基体４に沿うように貼り付けても、一定の曲率半径以上が保たれ、折り曲げによる配線抵抗の上昇を抑えられる。図４の（ａ）では基体４の正面部分が上下方向にカーブした形状となっており、フレキシブルな表示部１を基体４に沿わせることで、表示部１をカーブさせる。
【００３６】
基体４は、表示部１の上辺の裏面に引掛け部６を有し、ここを棚板５の正面の上辺に引掛けることによって、表示パネルが下方や前方にずれることを防止できる。また基体４は、平面部４Ｂ上であって配線部２または駆動部３に隣接して磁石７を有し、棚板５が磁性金属である場合は、この磁石７が棚板５にくっつくことで、配線部２や駆動部３がぶら下がることを防止できる。
【００３７】
図５および図６は、図４に示した表示パネルの変形例を示す図であり、図５の（ａ）、図６の（ａ）は横断面図、図５の（ｂ）、図６の（ｂ）は正面図、図５の（ｃ）、図６の（ｃ）は斜視図である。表示パネルは、表示部１、配線部２および駆動部３を含む。本実施の形態による表示パネルは、図５の（ａ）や図６の（ａ）に示すように、棚板５に取り付けられる。表示部１は棚板５の正面側に取り付けられ、５°以上３０°以下の範囲で上向きに傾いている。これにより、棚板５よりも上から見た場合の視認性が良くなる。ここで５°以上３０°以下の範囲とは、表示部１の上辺と下辺とを含む平面と、棚板５正面とのなす角の範囲である。また、表示部１から伸びた配線部２が表示部１の下辺近傍で９５°以上１２０°以下の範囲で折り曲げられ、棚板５の下面側に、棚板５に沿って設置される。ここで９５°以上１２０°以下の範囲とは、表示部１の上辺と下辺とを含む平面と、配線部２とのなす角の範囲である。また、配線部２は、表示部１の下辺から伸びたソース配線と、表示部の右辺から伸びて下向きにカーブさせたゲート配線とを含む。図５の（ａ）や図６の（ａ）で表示部１は、上下方向にカーブしている曲面形状となっている。図５は凸状、図６は凹状である。この曲面形状は、曲率半径が大きいわずかな曲面であっても、見た目がやさしい感じになり、商品の好感度が上がって、消費者の購買意欲を向上させる効果がある。また、曲面形状にすることによって、図５に示す例の場合、天井からの照明が表示部１の上部に当たりやすくなり、表示部１の表示が明るくなるという利点がある。また、図６に示す例の場合、上からは見やすく、下からは見にくくすることができ、特に表示部１の下の方に大人にだけ見せたいコメントを載せるという表示が可能となる。配線部２は、単純な配線（２Ｂ）だけでなく、駆動ＩＣ（２Ｃ）やフレキシブルプリント基板（２Ｆ）を含んでもよい。駆動部３は、駆動表示を行うための制御回路を少なくとも有しており、内蔵メモリーや、外部データベースとのインターフェイスをさらに有していてもよい。
【００３８】
表示部１、配線部２および駆動部３を上述のように配置するために、リジッドな基体４を用いる。基体４は表示部１、配線部２および駆動部３の位置を保持するための部材であり、表示部１を固定する正面部４Ａと、配線部２および駆動部３を固定する平面部４Ｂと、所定の曲率半径を有し正面部と平面部とを接合する屈曲部４Ｃとを含む。配線部２および駆動部３の固定箇所は、平面部４Ｂの下面でも良いし上面でも良い。基体４の材質には、金属またはプラスチック、あるいはそれらの組み合わせを用いることができる。基体４に対して、表示部１、配線部２および駆動部３が、図示しない接着剤、片面粘着テープ、両面粘着テープ、ネジ等によって固定される。基体４の屈曲部４Ｃは、一定の曲率半径以上に保たれており、フレキシブルな配線部２を基体４に沿うように貼り付けても、一定の曲率半径以上が保たれ、折り曲げによる配線抵抗の上昇を抑えられる。図５の（ａ）や図６の（ａ）では基体４の正面部分が上下方向にカーブした形状となっており、フレキシブルな表示部１を基体４に沿わせることで、表示部１をカーブさせる。
【００３９】
本変形例では、基体４は、図１〜４のような引掛け部６を有しておらず、また、磁石７を有していないが、ネジ等で棚板５に固定できる（この場合、棚板５が磁性金属である必要はない）。
【００４０】
図７は図４に示した本発明の実施の形態による表示パネルの他の変形例を示す図であり、図７の（ａ）は横断面図、図７の（ｂ）は正面図、図７の（ｃ）は斜視図である。表示パネルは、表示部１、配線部２および駆動部３を含む。表示パネルは、図７の（ａ）に示すように、棚板５に取り付けられる。表示部１は棚板５の正面側に取り付けられ、５°以上３０°以下の範囲で上向きに傾いている。これにより、棚板５よりも上から見た場合の視認性が良くなる。ここで５°以上３０°以下の範囲とは、表示部１の上辺と下辺とを含む平面と、棚板５正面とのなす角の範囲である。また、表示部１から上に伸びた配線部２が表示部１の上辺近傍で約１８０°程度折り曲げられ、表示部１の下辺近傍でさらに９５°以上１２０°以下の範囲で折り曲げられ、棚板５の下面側に、棚板５に沿って設置される。ここで約１８０°とは、表示エリアの上辺と下辺を含む平面と、基体裏の配線部２とのなす角であり、９５°以上１２０°以下の範囲とは、基体４裏の配線部２と、基体４上の配線部２とのなす角の範囲である。また、配線部２は、表示部１の上辺から伸びたソース配線と、表示部の右辺から伸びて上向きにカーブさせたゲート配線とを含む。図７の（ａ）で表示部１は、上下方向にカーブしている曲面形状となっている。この曲面形状は、曲率半径が大きいわずかな曲面であっても、見た目がやさしい感じになり、商品の好感度が上がって、消費者の購買意欲を向上させる効果がある。また、曲面形状にすることによって、天井からの照明が表示部１の上部に当たりやすくなり、表示部１の表示が明るくなるという利点がある。配線部２は、単純な配線（２Ｂ）だけでなく、駆動ＩＣ（２Ｃ）やフレキシブルプリント基板（２Ｆ）を含んでもよい。駆動部３は、駆動表示を行うための制御回路を少なくとも有しており、内蔵メモリーや、外部データベースとのインターフェイスをさらに有していてもよい。
【００４１】
表示部１、配線部２および駆動部３を上述のように配置するために、リジッドな基体４を用いる。基体４は表示部１、配線部２および駆動部３の位置を保持するための部材であり、表示部１を固定する正面部４Ａと、配線部２および駆動部３を上面に固定する平面部４Ｂと、所定の曲率半径を有し正面部と平面部とを接合する屈曲部４Ｃとを含む。配線部２および駆動部３の固定箇所は、平面部４Ｂの下面でも良い。基体４の材質には、金属またはプラスチック、あるいはそれらの組み合わせを用いることができる。基体４に対して、表示部１、配線部２および駆動部３が、図示しない接着剤、片面粘着テープ、両面粘着テープ、ネジ等によって固定される。基体４の屈曲部４Ｃは、一定の曲率半径以上に保たれており、フレキシブルな配線部２を基体４に沿うように貼り付けても、一定の曲率半径以上が保たれ、折り曲げによる配線抵抗の上昇を抑えられる。図７の（ａ）では基体４の正面部分が上下方向にカーブした形状となっており、フレキシブルな表示部１を基体４に沿わせることで、表示部１をカーブさせる。
【００４２】
基体４は、図１〜４に示すような引掛け部６を有しておらず、また、磁石７を有していないが、ネジ等で棚板５に固定できる（この場合、棚板５が磁性金属である必要はない）。
【００４３】
また、本発明の他の実施の形態は、これまで述べてきた表示パネルを複数個用い、隣接する２つの表示パネル同士を、一方の表示パネルに接続された配線部（ゲート配線）の上に、他方の表示パネルの表示部左辺または右辺が重なるように並べて構成される、大型表示パネルである。
【００４４】
大型表示パネルを構成するための表示パネル２種を、図８および図９に示す。表示部１は実際に表示される領域幅Ａの他に、非表示領域幅Ｂ、Ｃを有する。表示パネルは、表示部１の上辺または下辺から伸びるソース配線の他に、表示部１の右辺または左辺から伸びて上方または下方にカーブするゲート配線があるため、このゲート配線がある方の非表示領域Ｃは、ない方の非表示領域Ｂよりも大きい。
【００４５】
図８に示すパネル１１と、図９に示すパネル１２との組み合わせによって、大型表示パネルが構成される。図８のようにパネル１１は、基体４の幅Ｄが、Ａ＋Ｂ＋Ｃとほぼ等しい。表示部１は、全体が基体４に固定される。
【００４６】
一方、図９に示すパネル１２は、基体４の幅ＥがＡ＋Ｂとほぼ等しい。表示部１の大部分は基体４に固定されるが、一部は固定されていない。
【００４７】
これらを用いた大型表示パネルを、図１０に示す。表示パネルをＮ個組み合わせた大型表示パネルを作る場合、１個のパネル１１と、（Ｎ−１）個のパネル１２とを使用する。まずパネル１１を用意し（図１０の（ａ））、パネル１１の非表示領域幅Ｃを隠すように、パネル１２を重ねる（図１０の（ｂ））。さらにパネル１２の非表示領域幅Ｃを隠すように、別のパネル１２を重ねる（図１０の（ｃ））。同様に繰り返すことで、表示パネルをＮ個用いた大型表示パネルとすることができる。また、このようにすることで、複数の表示パネル間の非表示領域は領域幅Ｂだけになり、ほぼ連続した表示パネルとみなすことができる。特に非表示領域幅Ｂが１画素の大きさに比べて小さい場合、完全に連続した表示パネルとみなすことができる。
【００４８】
複数の基体４は、他の単一の接続部品により接続してもよいし、基体４自体が基体４同士を接合できるしくみを有していてもよい。図１１〜図１３には、大型表示パネルの接続例を示す。例えば図１１の（ａ）に示すように、複数の基体４を接続部品８に差し込んで接続することができる。あるいは図１１の（ｂ）に示すように、複数の基体４を接続部品８にネジ留めして接続することができる。図１２に示すように、基体４に設けた凹凸溝を嵌合させることで、基体４同士を接続することができる。
【００４９】
各表示パネルの基体４が引掛け部６を有する場合、全ての表示パネルが引掛け部６を有することが望ましいが、一部の表示パネルだけでもよい。磁石７は、各基体４に設ける代わりに、接続部品８に設けてもよい。
【００５０】
あるいは図１３に示すように、棚板５の下に基体４を挿入可能な受け部９を設け、各表示パネルの基体４を挿し込んで固定してもよい。
【００５１】
このような大型表示パネルでは、各表示部１が棚板５の正面全体にわたって、例えば棚板５と等幅の、大型表示パネルとしての表示部を形成するため、各商品の設置幅に合わせて表示を自由に区切ることができ、商品種の数に依って電子棚札の数を増減させる必要がないという利点がある。
【００５２】
なお、本発明において、配線部２がフレキシブルであることが好ましく、表示部１をカーブさせる構成においては表示部１もフレキシブルであることが好ましい。また、大型表示パネルを形成するために、表示部１は厚さが薄いことが好ましい。そのため、表示部１としては、ポリマー分散液晶や、電気泳動ディスプレイが適している。ポリマー分散液晶や電気泳動ディスプレイは、プラスチック基材を用いて作製することができ、フレキシブルで薄いディスプレイとすることができる。
【００５３】
基体４としては、構造を保つための強度を持ちつつ、軽さも重要である。そのため、アルミを主体とする金属や、樹脂が好適である。全体を射出成型の樹脂とする、アルミ板を曲げて作製する、アルミ板を曲げたものに樹脂を接着あるいはネジ留めする等が好適である。
【００５４】
本発明の表示パネルは、駆動部３を表示部１裏に内蔵せず、棚の下に設けたので、表示部１の厚さを薄く、高さを低く抑えることができる。そのため、情報を表示しつつ、商品も見え易い表示パネルとすることができる。また、外れにくく落として壊れにくい表示パネルとすることができる。さらに、表示部１の幅を長く連結することが可能であり、表示領域を棚板の幅全体に伸ばすことにより、品種の数と同じ数の個別の表示パネルを設置することなく、商品の設置幅に応じた表示が可能となり、スッキリした表示ができる。
【実施例１】
【００５５】
次に、具体的な実施例について説明する。
図１に示す表示パネルを作製した。まず、ＰＥＮ基板上に酸化物半導体を用いた薄膜トランジスタアレイを形成し、透明電極を有するＰＥＴ基板との間にポリマー分散液晶を挟んで表示部１を形成した。表示部１の縦方向の長さは２０ｍｍである。表示部１から伸びた配線２Ｂは、ＰＥＮ基板およびその上のＩＴＯ電極であり、ドライバＩＣ（２Ｃ）をＡＣＦ圧着し、フレキシブルプリント基板（２Ｆ）をドライバＩＣ（２Ｃ）にＡＣＦ圧着して配線部２とした。厚さ１ｍｍのアルミニウム板を折り曲げて基体４とし、磁石７を基体４に接着剤で固定した。屈曲部４Ｃの曲率半径を５ｍｍとした。表示部１を基体４の正面部４Ａに貼り付け、配線部２を基体４の屈曲部４Ｃに沿って貼り付け、駆動部３を基体４の平面部４Ｂにネジ留めし、フレキシブルプリント基板２Ｆの先端を駆動部３のコネクタに接続した。基体４の引掛け部６を棚板５の正面の上辺に引掛け、磁石７を棚板５の下面に取り付けることで、表示パネルを棚板５に設置した。
【００５６】
こうして作製した表示パネルは、表示部１および基体正面部４Ａの厚さが薄くて、高さが棚板５の厚さと同程度に低いので、棚板５上の商品を見易くすることができた。
【実施例２】
【００５７】
図２に示す表示パネルを作製した。まず、ＰＥＮ基板上に有機半導体を用いた薄膜トランジスタアレイを形成し、透明電極を有するＰＥＴ基板との間に電気泳動体を挟んで表示部１を形成した。表示部１の縦方向の長さは２０ｍｍである。表示部１から伸びた配線２Ｂは、ＰＥＮ基板およびその上の電極であり、ドライバＩＣ（２Ｃ）をＡＣＦ圧着し、フレキシブルプリント基板２ＦをドライバＩＣ（２Ｃ）にＡＣＦ圧着して配線部２とした。厚さ１ｍｍのアルミニウム板を折り曲げ、正面に蒲鉾形の樹脂部品を接着して基体４とし、さらに磁石７を基体４に接着剤で固定した。屈曲部４Ｃの曲率半径を２ｍｍとし、蒲鉾形の樹脂部品の中央部の厚さを１ｍｍとした。表示部１を基体４の正面部４Ａに貼り付け、配線部２を基体４の屈曲部４Ｃに沿って貼り付け、駆動部３を基体４の平面部４Ｂにネジ留めし、フレキシブルプリント基板２Ｆの先端を駆動部３のコネクタに接続した。基体４の引掛け部６を棚板５の正面の上辺に引掛け、磁石７を棚板５の下面に取り付けることで、表示パネルを棚板５に設置した。
【００５８】
こうして作製した表示パネルは、表示部１および基体正面部４Ａの厚さが薄くて、高さが棚板５の厚さと同程度に低いので、棚板５上の商品を見易くすることができた。また、表示部がカーブしているので、やさしい印象を与えることができた。
【実施例３】
【００５９】
図３に示す表示パネルを作製した。まず、ＰＥＮ基板上に有機半導体を用いた薄膜トランジスタアレイを形成し、透明電極を有するＰＥＴ基板との間に電気泳動体を挟んで表示部１を形成した。表示部１の縦方向の長さは２０ｍｍである。表示部１から伸びた配線２Ｂは、ＰＥＮ基板およびその上の電極であり、ドライバＩＣ（２Ｃ）をＡＣＦ圧着し、フレキシブルプリント基板２ＦをドライバＩＣにＡＣＦ圧着して配線部２とした。厚さ１ｍｍのアルミニウム板を折り曲げて基体４とし、磁石７を基体４に接着剤で固定した。屈曲部４Ｃの曲率半径を２ｍｍとし、正面と下面との角度を１１０°とした。表示部１を基体４の正面部４Ａに貼り付け、配線部２を基体４の屈曲部４Ｃに沿って貼り付け、駆動部３を基体４の平面部４Ｂにネジ留めし、フレキシブルプリント基板２Ｆの先端を駆動部３のコネクタに接続した。基体４の引掛け部６を棚板５の正面の上辺に引掛け、磁石７を棚板５の下面に取り付けることで、表示パネルを棚板５に設置した。
【００６０】
こうして作製した表示パネルは、表示部１および基体正面部４Ａの厚さが薄くて、高さが棚板５の厚さと同程度に低いので、棚板５上の商品を見易くすることができた。また、表示部がやや上を向いているので、表示が見やすくなった。
【実施例４】
【００６１】
図４に示す表示パネルを作製した。まず、ＰＥＮ基板上に有機半導体を用いた薄膜トランジスタアレイを形成し、透明電極を有するＰＥＴ基板との間に電気泳動体を挟んで表示部１を形成した。表示部１の縦方向の長さは２０ｍｍである。表示部１から伸びた配線２Ｂは、ＰＥＮ基板およびその上の電極であり、ドライバＩＣ（２Ｃ）をＡＣＦ圧着し、フレキシブルプリント基板２ＦをドライバＩＣ（２Ｃ）にＡＣＦ圧着して配線部２とした。厚さ１ｍｍのアルミニウム板を折り曲げ、正面に蒲鉾形の樹脂部品を接着して基体４とし、さらに磁石７を基体４に接着剤で固定した。屈曲部４Ｃの曲率半径を２ｍｍとし、正面と下面との角度を１１０°とし、蒲鉾形の樹脂部品の中央部の厚さを１ｍｍとした。表示部１を基体４の正面部４Ａに貼り付け、配線部２を基体４の屈曲部４Ｃに沿って貼り付け、駆動部３を基体４の平面部４Ｂにネジ留めし、フレキシブルプリント基板２Ｆの先端を駆動部３のコネクタに接続した。基体４の引掛け部６を棚板５の正面の上辺に引掛け、磁石７を棚板５の下面に取り付けることで、表示パネルを棚板５に設置した。
【００６２】
こうして作製した表示パネルは、表示部１および基体正面部４Ａの厚さが薄くて、高さが棚板５の厚さと同程度に低いので、棚板５上の商品を見易くすることができた。また、表示部がやや上を向いているので、表示が見やすくなった。さらに、表示部がカーブしているので、やさしい印象を与えることができた。
【実施例５】
【００６３】
図５に示す表示パネルを作製した。まず、ＰＥＮ基板上に有機半導体を用いた薄膜トランジスタアレイを形成し、透明電極を有するＰＥＴ基板との間に電気泳動体を挟んで表示部１を形成した。表示部１の縦方向の長さは１５ｍｍである。表示部１から伸びた配線２Ｂは、ＰＥＮ基板およびその上の電極であり、ドライバＩＣ（２Ｃ）をＡＣＦ圧着し、フレキシブルプリント基板２ＦをドライバＩＣにＡＣＦ圧着して配線部２とした。厚さ１ｍｍのアルミニウム板を折り曲げ、正面に蒲鉾形の樹脂部品を接着して基体４とした。屈曲部４Ｃの曲率半径を１ｍｍとし、正面と下面との角度を１２０°とし、蒲鉾形の樹脂部品の中央部の厚さを１ｍｍとした。表示部１を基体４の正面部４Ａに貼り付け、配線部２を基体４の屈曲部４Ｃに沿って貼り付け、駆動部３を基体４の平面部４Ｂにネジ留めし、フレキシブルプリント基板２Ｆの先端を駆動部３のコネクタに接続した。基体４を棚板５にネジ留めすることで、表示パネルを棚板５に設置した。
【００６４】
こうして作製した表示パネルは、表示部１および基体正面部４Ａの厚さが薄くて、高さが棚板５の厚さと同程度に低いので、棚板５上の商品を見易くすることができた。また、表示部がやや上を向いているので、表示が見やすくなった。さらに、表示部がカーブしているので、やさしい印象を与えることができた。
【実施例６】
【００６５】
図６に示す表示パネルを作製した。まず、ＰＥＮ基板上に有機半導体を用いた薄膜トランジスタアレイを形成し、透明電極を有するＰＥＴ基板との間に電気泳動体を挟んで表示部１を形成した。表示部１の縦方向の長さは１５ｍｍである。表示部１から伸びた配線２Ｂは、ＰＥＮ基板およびその上の電極であり、ドライバＩＣ（２Ｃ）をＡＣＦ圧着し、フレキシブルプリント基板２ＦをドライバＩＣにＡＣＦ圧着して配線部２とした。別途、樹脂を射出成型して基体４とした。屈曲部４Ｃの曲率半径が１ｍｍ、正面と下面との角度が１２０°、正面の曲率半径が７０ｍｍである。表示部１を基体４の正面部４Ａに貼り付け、配線部２を基体４の屈曲部４Ｃに沿って貼り付け、駆動部３を基体４の平面部４Ｂにネジ留めし、フレキシブルプリント基板２Ｆの先端を駆動部３のコネクタに接続した。基体４を棚板５にネジ留めすることで、表示パネルを棚板５に設置した。
【００６６】
こうして作製した表示パネルは、表示部１および基体正面部４Ａの厚さが薄くて、高さが棚板５の厚さと同程度に低いので、棚板５上の商品を見易くすることができた。また、表示部がやや上を向いているので、表示が見やすくなった。さらに、表示部がカーブしているので、やさしい印象を与えることができた。
【実施例７】
【００６７】
図７に示す表示パネルを作製した。まず、ＰＥＮ基板上に有機半導体を用いた薄膜トランジスタアレイを形成し、透明電極を有するＰＥＴ基板との間に電気泳動体を挟んで表示部１を形成した。表示部１の縦方向の長さは１５ｍｍである。表示部１から伸びた配線２Ｂは、ＰＥＮ基板およびその上の電極であり、ドライバＩＣ（２Ｃ）をＡＣＦ圧着し、フレキシブルプリント基板２ＦをドライバＩＣ（２Ｃ）にＡＣＦ圧着して配線部２とした。
厚さ１ｍｍのアルミニウム板を折り曲げ、正面に蒲鉾形の樹脂部品を接着して基体４とした。屈曲部４Ｃの曲率半径を１ｍｍとし、正面と下面との角度を９５°とし、蒲鉾形の樹脂部品の中央部の厚さを１ｍｍとした。表示部１を基体４の正面部４Ａに貼り付け、配線部２を基体４の正面から裏面、さらに屈曲部４Ｃの内側に沿って貼り付け、駆動部３を基体４の平面部４Ｂにネジ留めし、フレキシブルプリント基板２Ｆの先端を駆動部３のコネクタに接続した。基体４を棚板５にネジ留めすることで、表示パネルを棚板５に設置した。
【００６８】
こうして作製した表示パネルは、表示部１および基体正面部４Ａの厚さが薄くて、高さが棚板５の厚さと同程度に低いので、棚板５上の商品を見易くすることができた。また、表示部がやや上を向いているので、表示が見やすくなった。さらに、表示部がカーブしているので、やさしい印象を与えることができた。
【実施例８】
【００６９】
実施例４の方法で、図８に示す表示パネル１１を１個と、図９に示す表示パネル１２を２個とを作製した。Ａ＝１００ｍｍ、Ｂ＝１ｍｍ、Ｃ＝１５ｍｍ、Ｄ＝１１６ｍｍ、Ｅ＝１０１ｍｍとした。
【００７０】
次に、図１０のように組合せることで、全幅３１８ｍｍの大型表示パネルとした。さらに、図１１の（ｂ）のように磁石７付きの接続部品８（アルミニウム製）に各基体をネジ留めし、引掛け部６を棚板５の正面上辺に引掛け、磁石７を棚板５の下面に取り付けて、棚板５に固定した。
【００７１】
各商品の設置幅に合わせて表示を自由に区切ることで、商品種の数に依って電子棚札の数を増減させる必要がなくなった。
【産業上の利用可能性】
【００７２】
本発明は、液晶ディスプレイ（ＬＣＤ）や電子ペーパーなどを用いた電子棚札などの表示パネルに利用可能である。
【符号の説明】
【００７３】
１        表示部
２    配線部
２Ｂ    単純配線部
２ＢＧ    ゲート配線
２ＢＳ    ソース配線
２Ｃ    ＩＣ
２Ｆ    フレキシブルプリント基板
３    駆動部
４    基体
４Ａ    正面部
４Ｂ    平面部
４Ｃ    屈曲部
５    棚板
６    引掛け部
７    磁石
８    接続部品
９    受け部
１０    ネジ
１１    パネル
１２    パネル
２０    従来の電子棚札
２１    商品
【図１】
2016047113.tif 000003
【図２】
2016047113.tif 000004
【図３】
2016047113.tif 000005
【図４】
2016047113.tif 000006
【図５】
2016047113.tif 000007
【図６】
2016047113.tif 000008
【図７】
2016047113.tif 000009
【図８】
2016047113.tif 000010
【図９】
2016047113.tif 000011
【図１０】
2016047113.tif 000012
【図１１】
2016047113.tif 000013
【図１２】
2016047113.tif 000014
【図１３】
2016047113.tif 000015
【図１４】
2016047113.tif 000016
【図１５】
2016047113.tif 000017